(57)【要約】【課題】  本発明は、ＣＭ前後の番組本編の動画像の内容が同じ場合、同じ内容の動画像を繰り返し視聴することなく録画番組を視聴することが可能な映像蓄積再生装置を提供することを目的とする。【解決手段】  記録媒体に蓄積された映像ストリームの動画像と音声からＣＭ区間を検出し、ＣＭ前後の番組本編について同定処理を行って内容が同じ動画像の部分を特定し、ＣＭ前後で内容が同じ動画像、および当該動画像に対応する音声のそれぞれの部分の再生時間を変更して特殊再生するので、ＣＭ前後で内容が同じ動画像のいずれか一方の再生を省略することで、ユーザが同じ内容の動画像を繰り返し視聴せずに録画番組を鑑賞することが可能となる。【選択図】  図１
2015082790.tif 000002
【特許請求の範囲】
【請求項１】
記録媒体に蓄積された映像ストリームを再生する映像蓄積再生装置において、
前記映像ストリームを動画像と音声に分離して復号化する多重分離復号部と、
前記多重分離復号部により復号化された前記動画像および前記音声のＣＭ区間を検出し、検出されたＣＭ区間の時刻情報を得るＣＭ検出部と、
前記動画像のうち、検出された前記ＣＭ区間の前後の動画像について同定処理を行い、前記ＣＭ区間前の動画像と前記ＣＭ区間後の動画像の内容が同じ区間の時刻情報を得る動画像同定部と、
前記動画像同定部によって特定された区間における、前記ＣＭ区間前後の動画像の各々の再生時間を変更することで前記動画像の特殊再生処理を行う動画像特殊再生処理部と、
前記動画像同定部によって特定された区間における、前記ＣＭ区間前後の動画像に対応する音声の各々の再生時間を変更することで前記音声の特殊再生処理を行う音声特殊再生処理部と、
を備えた映像蓄積再生装置。
【請求項２】
前記動画像特殊再生処理部は、前記ＣＭ区間前の動画像または前記ＣＭ区間後の動画像の再生を省略し、
前記音声特殊再生処理部は、前記動画像特殊再生処理部において再生を省略した動画像に対応する音声の再生を省略する、請求項１に記載の映像蓄積再生装置。
【請求項３】
前記動画像特殊再生処理部は、前記ＣＭ区間前の動画像または前記ＣＭ区間後の動画像の再生を省略し、
前記音声特殊再生処理部は、前記ＣＭ区間前後の動画像にそれぞれ対応する音声を１／２倍速で特殊再生し、前記ＣＭ区間前または後の再生動画像とともに出力する、請求項１に記載の映像蓄積再生装置。
【請求項４】
前記動画像特殊再生処理部は、前記ＣＭ区間前の動画像または前記ＣＭ区間後の動画像の再生を省略し、前記ＣＭ区間前または後の再生動画像を２倍速で特殊再生し、
前記音声特殊再生処理部は、前記ＣＭ区間前後の動画像にそれぞれ対応する音声を再生し、２倍速で特殊再生される前記再生動画像とともに出力する、請求項１に記載の映像蓄積再生装置。
【請求項５】
前記動画像特殊再生処理部は、前記ＣＭ区間前の動画像または前記ＣＭ区間後の動画像の再生を省略し、前記ＣＭ区間前または後の再生動画像を１／√２倍速で特殊再生し、
前記音声特殊再生処理部は、前記ＣＭ区間前後の動画像にそれぞれ対応する音声を√２倍速で特殊再生し、１／√２倍速で特殊再生される前記再生動画像とともに出力する、請求項１に記載の映像蓄積再生装置。
【請求項６】
前記動画像特殊再生処理部は、前記ＣＭ区間前の動画像または前記ＣＭ区間後の動画像の再生を省略し、前記ＣＭ区間前または後の再生動画像を１／Ｎ倍速で特殊再生し、
前記音声特殊再生処理部は、前記ＣＭ区間前後の動画像にそれぞれ対応する音声をＮ倍速で特殊再生し、１／Ｎ倍速で特殊再生される前記再生動画像とともに出力し、
前記Ｎは任意に設定可能である、請求項１に記載の映像蓄積再生装置。
【請求項７】
前記動画像特殊再生処理部、および前記音声特殊再生処理部は、前記ＣＭ区間の動画像および音声の再生を省略する、請求項１乃至６のいずれか１項に記載の映像蓄積再生装置。
【発明の詳細な説明】
【技術分野】
【０００１】
本発明は、映像を蓄積・再生する映像蓄積再生装置に関し、特に、一部の動画像と音声の再生速度を変更した特殊再生を行うものに関する。
【背景技術】
【０００２】
テレビ番組をＨＤＤ（Ｈａｒｄ Ｄｉｓｋ Ｄｒｉｖｅ）に蓄積（録画）し、録画・再生する映像蓄積再生装置が広く普及している。ＨＤＤに記録することで映像のランダムアクセスが可能となり、一部の映像シーンをスキップして再生することが可能となった。これを利用してＣＭ部分をスキップする装置が以下の特許文献に開示されている。
【先行技術文献】
【特許文献】
【０００３】
【特許文献１】特開２００１−２３８１７６
【発明の概要】
【発明が解決しようとする課題】
【０００４】
しかし、放映される番組によってはＣＭ前後の動画像の内容、もしくはＣＭ前後の動画像と音声の両方の内容がほぼ同一であることが多く、蓄積した番組の視聴時に同じ内容の動画像等を繰り返し視聴しなければならないことがあった。
【０００５】
本発明に係る映像記録再生装置は、ＣＭ前後の番組本編の動画像の内容が同じ場合、同じ内容の動画像を繰り返し視聴することなく、録画番組を視聴することが可能な映像蓄積再生装置を提供することを目的とする。
【課題を解決するための手段】
【０００６】
本発明は記録媒体に蓄積された映像ストリームを再生する映像蓄積再生装置において、
前記映像ストリームを動画像と音声に分離して復号化する多重分離復号部と、
前記多重分離復号部により復号化された前記動画像および前記音声のＣＭ区間を検出し、検出されたＣＭ区間の時刻情報を得るＣＭ検出部と、
前記動画像のうち、検出された前記ＣＭ区間の前後の動画像について同定処理を行い、前記ＣＭ区間前の動画像と前記ＣＭ区間後の動画像の内容が同じ区間の時刻情報を得る動画像同定部と、
前記動画像同定部によって特定された区間における、前記ＣＭ区間前後の動画像の各々の再生時間を変更することで前記動画像の特殊再生処理を行う動画像特殊再生処理部と、
前記動画像同定部によって特定された区間における、前記ＣＭ区間前後の動画像に対応する音声の各々の再生時間を変更することで前記音声の特殊再生処理を行う音声特殊再生処理部と、を備えたものである。
【発明の効果】
【０００７】
本発明によれば、ＣＭ区間前後の番組本編において、動画像の内容が同じ区間を特定し、特定された区間における動画像および音声の再生時間を変更するので、ＣＭ前後で内容が同じ動画像の再生を繰り返すことなく録画番組を視聴することが可能となる。
【図面の簡単な説明】
【０００８】
【図１】本発明の一実施の形態に係る映像蓄積再生装置の構成を示すブロック図である。
【図２】特殊再生実行部１０４の内部構成を示すブロック図である。
【図３】ＣＭ前後の番組本編の動画像の同一部分を表す図である。
【図４】本発明の一実施形態に関わる特殊再生を表す図である。
【発明を実施するための形態】
【０００９】
図１は、この発明の一実施形態に関わる映像蓄積再生装置を表すブロック図である。図１に示す映像蓄積再生装置は、ユーザからの入力を受け付けるユーザインタフェース部１０１と、全体の制御を行う制御部１０２と、映像を蓄積する映像蓄積部１０３と、特殊再生を行う特殊再生実行部１０４から構成される。
【００１０】
以下、各ブロックの詳細を説明する。
ユーザからＣＭ区間前後の内容が同じ番組本編部分についての特殊再生指示を受けたユーザインタフェース部１０１は、制御部１０２に特殊再生指示を出力する。制御部１０２は映像蓄積部１０３に対し、ユーザ所望の録画番組に対応する映像ストリームを特殊再生部１０４に出力するよう指示する。さらに、特殊再生部１０４に特殊再生示を行う。特殊再生部１０４は、映像ストリームのうち、特定区間における動画像および音声を特殊再生し、再生用動画像および再生用音声を出力する。
なお、本明細書では、動画像は音声を含まないものとし、映像は動画像と音声の両方を含むものとして定義する。
【００１１】
図２は、特殊再生実行部１０４の内部構成を示すブロック図である。図２に示すように、特殊再生実行部１０４は、映像ストリームを多重分離して動画像と音声を得る多重分離・復号部１０５と、映像中のＣＭ検出処理を行うＣＭ検出部１０６と、動画像の同定処理を行う動画像同定部１０７と、動画像同定部１０７において特定された区間の動画像の再生時間を変化させて特殊再生を行う動画像特殊再生処理部１０７と、同様に特定された動画像の区間に対応する音声の再生時間を変化させて特殊再生を行う動画像特殊再生処理部１０８と、から構成される。
【００１２】
ここで、動画像特殊再生処理部１０８および音声特殊再生処理部１０９が、動画像および音声について特殊再生には、後述するように、特定区間の再生時間を０とすることにより再生を省略する処理も含まれるものとする。
【００１３】
以下、図２を参照して、特殊再生実行部１０４の各ブロックの詳細を説明する。一般的な映像蓄積再生装置において動画像信号および音声信号は、ＭＰＥＧ（Ｍｏｖｉｎｇ Ｐｉｃｔｕｒｅ Ｅｘｐｅｒｔ Ｇｒｏｕｐ）の動画像圧縮規格であるＭＰＥＧ−２、Ｈ．２６４等の方式により圧縮された動画像と、ＡＡＣ（Ａｄｖａｎｃｅｄ Ａｕｄｉｏ Ｃｏｄｅｃ）等の音声圧縮方式により圧縮された音声とを、ＴＳ（Ｔｒａｎｓｐｏｒｔ Ｓｔｒｅａｍ）等のシステムフォーマットにより多重化した映像ストリームとして蓄積される。多重分離・復号部１０５は、多重化映像ストリームを圧縮動画像と圧縮音声に分離し、それぞれを復号して動画像と音声を得る。また、動画像および音声に暗号化処理が施されて蓄積されている場合は暗号復号も行う。得られた動画像はＣＭ検出部１０６と動画像同定部１０７と動画像特殊再生処理部１０８にそれぞれ出力される。また、音声はＣＭ検出部１０６と音声特殊再生処理部１０９に出力される。
【００１４】
ＣＭ検出部１０６は、動画像と音声から映像中のＣＭ検出処理を行い、ＣＭ区間の時刻情報を得る。ＣＭの検出方法については、特開２０１２−２０９９５８に開示された方法等、様々なものが存在するが、本実施の形態においてその方法は特に限定しない。ＣＭ検出部１０６において得られたＣＭ区間の時刻情報は、動画像同定部１０７、動画像特殊再生処理部１０８、音声特殊再生処理部１０９にそれぞれ出力される。
【００１５】
動画像同定部１０７は、ＣＭ前の番組本編とＣＭ後の番組本編のそれぞれの動画像について同定処理を行い、ＣＭ前後の番組本編において内容が同じ動画像の部分を特定する。動画像の同定処理をＣＭ前後の動画像についてのみ行うことで処理時間の短縮が可能となる。ここで、本発明における動画像の同定処理とは、内容が全く同じ動画像を特定する処理を意味する。動画像の同定処理方法の一例として、「画像同定技術：Ｖｉｓｕａｌ Ｓｉｇｎａｔｕｒｅ」 三菱電機技報、Ｖｏｌ．８５，Ｎｏ．１１，２０１１，４３−４６頁に開示されたＶｉｄｅｏ Ｓｉｇａｎｔｕｒｅが挙げられるが、本実施の形態においてその方法は特に限定しない。
【００１６】
動画像同定部１０７において得られたＣＭ前後の同一内容の動画像の時刻情報は動画像特殊再生処理部１０８と音声特殊再生処理部１０９に出力される。動画像特殊再生処理部１０８と音声特殊再生処理部１０９は、CMの時刻情報とＣＭ前後の同一の動画像の時刻情報に基づいて、映像と音声の特殊再生処理を行う。
【００１７】
図３は、動画像同定部１０７において特定される、ＣＭ前後の番組本編の動画像の同一部分を表す図である。図３に示すように、元映像のＣＭ前の本編は区間Ｍおよび区間Ａに分けられ、ＣＭ後の本編は区間Ｂおよび区間Ｎに分けられる。ここで、区間Ａと区間Ｂにおける動画像は同一内容を表す。図３に示す元映像の各区間Ｍ、Ｎ、Ａ、Ｂの動画像の再生時間をＶＭ、ＶＮ、ＶＡ、ＶＢとし、音声の再生時間をＡＭ、ＡＮ、ＡＡ、ＡＢとし、ＣＭ区間の動画像の再生時間をＶＣＭ、音声の再生時間をＡＣＭとする。
【００１８】
動画像特殊再生処理部１０８、および音声特殊再生処理部１０９は、動画像、および音声の再生時間を以下のように変更し、特殊再生を行う。
動画像再生時間：ＶＭ＋αv×ＶＡ＋γv×ＶＣＭ＋βv×ＶＢ＋ＶＮ
音声再生時間  ：ＡＭ＋αa×ＡＡ＋γa×ＡＣＭ＋βa×ＡＢ＋ＡＮ
ここで、係数αv、βv、γv、αa、βa、γaを変更することで各区間の再生時間を変更する特殊再生を行う。
【００１９】
図４は、係数αv、βv、γv、αa、βa、γaを下記例１〜４とした特殊再生を行った場合の再生時間を示す図である。
例１：αv=０，βv=１，γv＝０，αa=０，βa=１，γa＝０
例２：αv=０，βv=１，γv＝０，αa=１／２，βa=１／２，γa＝０
例３：αv=０，βv=２，γv＝０，αa=１，βa=１，γa＝０
例４：αv=０，βv=√２，γv＝０，αa=１／√２，βa=１／√２，γa＝０
【００２０】
例１〜４のいずれにおいてもＣＭ前の同一の動画像については再生されず、ＣＭ後の動画像のみ再生される。
例１においては、動画像、音声ともにＣＭ後のみ再生される。
例２においては、ＣＭ後の動画像は通常速度で再生され、音声はＣＭ前およびＣＭ後のそれぞれの音声が２倍速（１／２の再生時間）で再生される。
例３においては、ＣＭ後の動画像は１／２倍速（２倍の再生時間）で再生され、音声はＣＭ前およびＣＭ後のそれぞれの音声が通常速度で再生される。
例４においては、ＣＭ後の動画像が１／√２倍速（√２倍の再生時間）で再生され、音声はＣＭ前およびＣＭ後のそれぞれの音声が√２倍速（１／√２の再生時間）で再生される。
【００２１】
例１は、ドラマや映画など動画像、音声ともにＣＭ前後で内容が全く同一である場合に有効である。
例２〜４においてはＣＭ前後のそれぞれの音声が全て再生される。例２はＣＭ前後の音声が必ずしも重要ではない場合に有効である。例３は音声が重要で確実に聞き取りたい場合に有効である。例４は音声の重要度が例２および例３の中間程度である場合に有効である。
【００２２】
上述のように、動画像特殊再生処理部１０８、および音声特殊再生処理部１０９は、係数αv、βv、γv、αa、βa、γaを適宜設定することにより、再生時間をそれぞれ変更した動画像、音声を、再生用動画像、再生用音声として出力する。
なお、上記例１〜４は代表例であり、他の係数を用いてもよい。
また、上記例１〜４のいずれにおいてもＣＭ区間は再生していないが、ＣＭ区間を再生するよう係数を設定してもよい。
【００２３】
以上において説明した映像蓄積再生装置によれば、ＣＭ前後の番組本編について同定処理を行い、内容が同じ動画像の部分を特定し、ＣＭ前後で内容が同じ動画像（区間Ａおよび区間Ｂ）、および当該動画像に対応する音声の再生時間をそれぞれ変更して特殊再生するので、ＣＭ前後で内容が同じ動画像のいずれか一方の再生を省略することで、ユーザが同じ内容の動画像を繰り返し視聴せずに録画番組を鑑賞することが可能となる。
【００２４】
また、上記動画像に対応する音声について、ＣＭ前後のそれぞれの音声の再生速度を調整して再生動画像とともに出力することで、音声についてはＣＭ前後の両方の音声について視聴することも可能となる。
【００２５】
上記において、同定処理は内容が全く同じ動画像を特定するものとしたが、全く同じでなくとも実質的に同じ内容と判断できる動画像を特定してもよい。
【符号の説明】
【００２６】
１０１  ユーザインタフェース部、１０２  制御部、１０３  映像蓄積部、１０４  特殊再生実行部、１０５  多重分離・復号部、１０６  ＣＭ検出部、１０７  動画像同定部、１０８  動画像特殊再生処理部、１０９  音声特殊再生処理部
【図１】
2015082790.tif 000003
【図２】
2015082790.tif 000004
【図３】
2015082790.tif 000005
【図４】
2015082790.tif 000006